(57)【特許請求の範囲】
【請求項１】
中央に絶縁性の隔壁が設けられ、主回路を開閉する接点機構と前記主回路に過電流が流れたときに前記主回路を開成動作させる過電流引き外し機構とが前記隔壁の壁面に向かって組み込まれ、絶縁性のカバーが前記機構全体を覆うようにして前記隔壁の両側から被されるとともに、前記接点機構を手動で開閉させるハンドルが前記カバーの外部へ突出してなる回路遮断器において、押しボタンを押圧することにより前記過電流引き外し機構を引き外すトリップ装置が設けられ、前記トリップ装置は、前記隔壁の壁面の幅広方向に移動可能であるとともに常時前記カバーの外部側へ付勢される押しボタンと、前記押しボタンと一体に形成され前記隔壁の壁面に摺動する案内片と、前記押しボタンに押圧されて移動する傾斜部と、この傾斜部と連動して回動し前記過電流引き外し機構を引き外すレバーとからなることを特徴とする回路遮断器。
【請求項２】
請求項１に記載の回路遮断器において、前記隔壁に端部を跨ぐコ字状の保持部が設けられ、前記案内片を抱え込む腕部が前記保持部に形成され、前記案内片が前記腕部と前記隔壁との双方に摺動するように構成されてなることを特徴とする回路遮断器。
【請求項３】
請求項１または２に記載の回路遮断器において、前記傾斜部を前記カバーの内壁面と当接させてなることを特徴とする回路遮断器。
【発明の詳細な説明】
【０００１】
【発明の属する技術分野】
この発明は、分電盤に収納され、末端負荷の保護を目的とした比較的電流容量が小さい回路遮断器に関する。
【０００２】
【従来の技術】
図８は、従来の回路遮断器の構成を示す斜視図である。中央に略Ｉ型の絶縁性の隔壁１が設けられ、この隔壁１の両側に絶縁性のカバー２が嵌め込まれている。隔壁１の壁面に図示されていない主回路の開閉接点機構および過電流引き外し機構が組み込まれ、これらの機構全体を絶縁カバー２が覆っている。左側に電源側へ接続される端子部３が設けられ、右側に負荷側へ接続される端子部４が設けられている。すなわち、回路遮断器は、端子部３，４が主回路に介装されその主回路に過電流が流れるのを保護している。なお、ハンドル５は手動で内蔵の開閉接点機構を開閉するためのものであり、カバー２の外部へ突出している。
【０００３】
【発明が解決しようとする課題】
しかしながら、前述したような従来の回路遮断器は、主回路を一時的に手動で開成させるトリップ装置が搭載されていないという問題があった。
すなわち、近年、この種の回路遮断器にも回路が遮断されたとき、その状態を電気的に信号出力するためのトリップ警報接点を内蔵する必要（要求）があり、この接点を内蔵した場合に動作状態をチェックする必要があるが、配線用遮断器では過電流を実際に流さない限り自動遮断は行われなく、接点状態のチェックが困難である。そのために、機械（手動）的にトリップ状態を作り出す必要性がある。
【０００４】
この発明の目的は、シ−ケンスチェックなどの試験を容易に行うことのできる回路遮断器を提供することにある。
【０００５】
【課題を解決するための手段】
上記目的を達成するために、この発明によれば、中央に絶縁性の隔壁が設けられ、主回路を開閉する接点機構と前記主回路に過電流が流れたときに前記主回路を開成動作させる過電流引き外し機構とが前記隔壁の壁面に向かって組み込まれ、絶縁性のカバーが前記機構全体を覆うようにして前記隔壁の両側から被されるとともに、前記接点機構を手動で開閉させるハンドルが前記カバーの外部へ突出してなる回路遮断器において、押しボタンを押圧することにより前記過電流引き外し機構を引き外すトリップ装置が設けられ、前記トリップ装置は、前記隔壁の壁面の幅広方向に移動可能であるとともに常時前記カバーの外部側へ付勢される押しボタンと、前記押しボタンと一体に形成され前記隔壁の壁面に摺動する案内片と、前記押しボタンに押圧されて移動する傾斜部と、この傾斜部と連動して回動し前記過電流引き外し機構を引き外すレバーとからなるようにするとよい。それによって、主回路を押しボタンの押圧でもって一時的に開成させることができ、シ−ケンスチェックが容易となる。
【０００７】
また、かかる構成の回路遮断器において、前記隔壁に端部を跨ぐコ字状の保持部が設けられ、前記案内片を抱え込む腕部が前記保持部に形成され、前記案内片が前記腕部と前記隔壁との双方に摺動するように構成されてなるようにしてもよい。それによって、押しボタンが隔壁の厚さ方向に移動するのを抑えることができる。
【０００８】
また、かかる構成の回路遮断器において、前記傾斜部を前記カバーの内壁面と当接させてなるようにしてもよい。それによって、傾斜部がカバーの厚さ方向に移動するのを抑えることができる。
【０００９】
【発明の実施の形態】
以下、この発明を実施例に基づいて説明する。図１は、この発明の実施例にかかる回路遮断器の構成を示す側面図であり、一方のカバー２を外して内部機構を見た図である。端子部３，４が図示されていない主回路に介装され、固定接触子の固定端子１４に端子部３が固着されている。一方、可動接点１５を有する可動接触子はフレキシブルリード１６を介して過電流引き外し機構２１の一方に接続されている。固定接触子の固定端子１４と可動接触子の可動接点１５とが主回路の開閉接点機構を構成している。過電流引き外し機構２１の他方は給電リード１７を介して端子部４に接続されている。ハンドル５は手動でもって開閉接点機構が開閉される。また、主回路に過電流が流れたときに、その熱でもって過電流引き外し機構２１のバイメタルが変形し、アマチュア１３を可動させラッチ１８の係合部１９が外れることによって開閉接点機構が開成するようになっている。この回路遮断器にはトリップ装置が搭載され、その押しボタン６がばね１２によって常時は左側へ付勢されカバー２の外部に突出している。押しボタン６をカバー２の内部側（右側）へ押圧したときにだけに過電流引き外し機構が外れ開閉接点機構が開成されるようになっている。したがって、押しボタン６の押圧でもって一時的に主回路を開成させることができ、過電流にて引き外しを行ったに相当する機構の状態を作り出すことができる。図１において、図８の従来の構成と同じ部分は同一参照符号を付けることによって詳細な説明は省略する。
【００１０】
図２は、図１のＡ−Ａ断面図である。中央に略Ｉ型の絶縁性の隔壁１が設けられ、この隔壁１の両側に絶縁性のカバー２が嵌め込まれている。隔壁１の壁面にトリップ装置が組み込まれている。トリップ装置の押しボタン６は案内片８および傾斜部９と一体であり、隔壁１の壁面１Ａに沿って摺動可能であり、案内片８が押しボタン６を左右方向に案内している。一方、押しボタン６の案内片８は前記過電流引き外し機構を構成する一部品（固定マグネット）の一片（押圧部２５）によりＢなる幅で壁面１Ａとの間ですき間をもって挟み込まれることによって左右方向の動きを阻害されることなく、前記隔壁の開口側へ抜けないようになっている。また、トリップ装置はレバー７を備え、レバー７の左側端７Ａが傾斜部９と当接している。さらに、レバー７の右側端７Ｂが過電流引き外し機構のアーマチュア１３と当接している。レバー７はその中央部が軸１１でもって回動可能に支持されている。
【００１１】
図３の（Ａ）は、図１のトリップ装置の構成を示す要部側面図であり、図３の（Ｂ）は、トリップ装置が隔壁１に組み込まれた状態を示す要部側面図である。図３の（Ａ）の案内片８が隔壁１の壁面から突設された突起部１Ｂによって形成された嵌合溝に摺動可能に収納され、押しボタン６が左右方向へ安定して移動するように構成されている。
【００１２】
図４は、図２のトリップ装置を動作させた状態を示す断面図である。押しボタン６が手動で右側へ押圧され、ばね１２が縮むとともに傾斜部９の斜面と当接することによってレバー７が時計方向に回動する。それによって、レバー７の右側端７Ｂがアーマチュア１３を押圧するので過電流引き外し機構が外れ、開閉接点機構が開成される。また、この状態で押しボタン６の押圧を開放すると、ばね１２が伸びて傾斜部９が左側へ移動し、ばね１０の付勢力によりレバー７が反時計方向に回動し、押圧前の状態にトリップ装置の機構が復帰する。トリップ装置が隔壁１とカバー２の間に配されたので、従来の回路遮断器の外形を増やす必要はない。
【００１３】
図５は、この発明の異なる実施例にかかる回路遮断器の構成を示す側面図である。保持部２２の腕部２３がトリップ装置の案内片８を抱えるようにして構成されている。
図６は、図５のＣ−Ｃ断面図である。コの字状の保持部２２が隔壁１の端部を跨ぐように配されている。
【００１４】
図７は、図５の保持部２２の構成を示す斜視図である。コの字状の保持部２２が腕部２３と一体に構成されている。
図６に戻り、案内片８が腕部２３と隔壁１との間で摺動するので、案内片８が隔壁１の厚さ方向へ離れることがなくなり、押しボタンの移動が安定するようになる。また、図６において、カバー２の内壁面に当接部２４が突設され、この当接部２４にトリップ装置の傾斜部９が当接するように構成されている。図６のその他は、図２の構成と同じである。それによって、傾斜部９がカバー２の厚さ方向に移動するのを抑えることができ、傾斜部９の移動が安定するようになる。
【００１５】
【発明の効果】
この発明は前述のように、押しボタンを押圧することにより過電流引き外し機構を引き外すトリップ装置が設けられてなるようにすることによって、主回路を押しボタンの押圧でもって機械的に開成させることができ、トリップ警報接点が付属された場合などのシーケンスチェックが容易になる。
【００１６】
また、かかる構成の回路遮断器において、トリップ装置が、隔壁の壁面の幅広方向に移動可能であるとともに常時カバーの外部側へ付勢される押しボタンと、押しボタンと一体に形成され前記隔壁の壁面と摺動する案内片と、前記押しボタンの前記カバーの内部側への押圧でもって移動するとともに常時カバーの外部側へ付勢される傾斜部と、この傾斜部の移動と連動して回動し過電流引き外し機構を引き外すレバーとからなるようにすることによって、トリップ装置を隔壁とカバーの間に収納することができ、従来の回路遮断器に寸法を増すことなしにトリップ装置を搭載することができる。
【００１７】
また、かかる構成の回路遮断器において、隔壁に端部を跨ぐコ字状の保持部が設けられ、保持部に腕部が形成され、案内片が腕部と隔壁との間で摺動するように構成されてなるようにすることによって、押しボタンが安定して移動するようになる。
また、かかる構成の回路遮断器において、前記傾斜部を前記カバーの内壁面と当接させてなるようにすることによって、傾斜部が安定して移動するようになる。
【図面の簡単な説明】
【図１】この発明の実施例にかかる回路遮断器の構成を示す側面図
【図２】図１のＡ−Ａ断面図
【図３】（Ａ）は、図１のトリップ装置の構成を示す要部側面図、（Ｂ）は、トリップ装置が隔壁に組み込まれた状態を示す要部側面図
【図４】図２のトリップ装置を動作させた状態を示す断面図
【図５】この発明の異なる実施例にかかる回路遮断器の構成を示す側面図
【図６】図５のＣ−Ｃ断面図
【図７】図５の保持部の構成を示す斜視図
【図８】従来の回路遮断器の構成を示す斜視図
【符号の説明】
１：隔壁、２：カバー、５：ハンドル、６：押しボタン、７：レバー、８：案内片、９：傾斜部、１０，１２：ばね、２２：保持部、２３：腕部
【図１】
0004407079.tif 000002
【図２】
0004407079.tif 000003
【図３】
0004407079.tif 000004
【図４】
0004407079.tif 000005
【図５】
0004407079.tif 000006
【図６】
0004407079.tif 000007
【図７】
0004407079.tif 000008
【図８】
0004407079.tif 000009